(57)【特許請求の範囲】
【請求項１】
柱と、桁と、垂木と、垂木間に配置したパネルと、キャップとを備え、柱には柱の前面を覆う柱カバーが取付けてあり、桁は上向きに開口した雨樋と、パネル受けを有し、柱カバーの上端は桁の前面に配置してあり且つ雨樋の前側壁の上端と略同じ高さに位置し、垂木は前側端が桁の後面に当接してあり且つパネル押えを有し、パネル押えの前側端部にはねじ挿通孔が形成してあり、キャップは、柱と垂木の間で、垂木及びパネル押えの前側端部と、桁とに被せてあり、キャップの後側端部がパネル押えのねじ挿通孔に挿通したねじで垂木に固定してあり、キャップの前面側端部は桁の前面で柱カバーの上端に係合してあり、キャップの上面とパネル押えの上面とパネル上面とが略同一面に位置していることを特徴とする簡易建物。
【発明の詳細な説明】
【技術分野】
【０００１】
本発明は、テラス等の簡易建物に関する。
【背景技術】
【０００２】
非特許文献１には、図１０に示すように、柱１０１に、雨樋１０３を有する桁１０５を架設してあり、垂木１０７を桁１０５に固定すると共に、パネル押え１０９を桁１０５に固定した簡易建物１１１が開示されている。
【先行技術文献】
【非特許文献】
【０００３】
【非特許文献１】第１８２頁「三協立山アルミ  ウォールエクステリア  カタログ  ２０１１→２０１２」  第１版  業務用  三協立山アルミ株式会社  ２０１１年３月発行
【発明の概要】
【発明が解決しようとする課題】
【０００４】
しかし、非特許文献１の簡易建物１１１では、屋根の輪郭を形成するパネル押え１０９と、柱１０１の前面との輪郭とが連続していない為、外観に劣るという問題があった。
【０００５】
そこで、本発明は、外観が良く且つ施工が容易な簡易建物の提供を目的とする。
【課題を解決するための手段】
【０００６】
請求項１に記載の発明は、柱と、桁と、垂木と、垂木間に配置したパネルと、キャップとを備え、柱には柱の前面を覆う柱カバーが取付けてあり、桁は上向きに開口した雨樋と、パネル受けを有し、柱カバーの上端は桁の前面に配置してあり且つ雨樋の前側壁の上端と略同じ高さに位置し、垂木は前側端が桁の後面に当接してあり且つパネル押えを有し、パネル押えの前側端部にはねじ挿通孔が形成してあり、キャップは、柱と垂木の間で、垂木及びパネル押えの前側端部と、桁とに被せてあり、キャップの後側端部がパネル押えのねじ挿通孔に挿通したねじで垂木に固定してあり、キャップの前面側端部は桁の前面で柱カバーの上端に係合してあり、キャップの上面とパネル押えの上面とパネル上面とが略同一面に位置していることを特徴とする簡易建物である。
【発明の効果】
【０００７】
請求項１に記載の発明によれば、パネル押えと、キャップと、柱カバーとで連続した輪郭を形成しているので、外観が良い。
柱の前面に柱カバーを取付け、キャップの後側端部を、パネル押えのねじ挿通孔に挿通したねじで垂木に固定することでキャップを容易に固定でき、しかもキャップの前側端部は柱カバーの上端に係合するので、柱カバーを桁に取付けなくても柱カバーの上端を固定できるから、施工が容易にできる。
柱の前面に取付けた柱カバーの上端をキャップの前側端部に係合しているので、柱カバーの反りや反りによる外れを防止できる。
【図面の簡単な説明】
【０００８】
【図１】本実施の形態にかかる簡易建物の図であり、図９に示す簡易建物をＡ−Ａ位置で切断して示す断面図である。
【図２】本実施の形態にかかる簡易建物の平面図である。
【図３】本実施の形態にかかる簡易建物の正面図である。
【図４】図１に示すＢ−Ｂ断面図である。
【図５】図１に示すＣ−Ｃ断面図である。
【図６】図２に示すＤ−Ｄ断面図である。
【図７】図６に示すＥ−Ｅ断面図である。
【図８】図３に示すＦ−Ｆ断面図である。
【図９】本実施の形態にかかる簡易建物の概略を示す斜視図である。
【図１０】従来技術にかかる簡易建物を図１と同じ位置で切断して示す概略断面図である。
【発明を実施するための形態】
【０００９】
以下に、添付図面の図１〜図９を参照して本発明の実施の形態を詳細に説明する。図９に示すように、本実施の形態に係る簡易建物１はテラスであり、柱３ａ、３ｂと、柱３ａ、３ｂの上端部に架設された桁５と、垂木７と、垂木７、７間に配置したパネル１３と、キャップ８とを備えている。柱３ａ、３ｂは、テラス１の左右両端側に位置する柱３ａと、左右両端の柱３ａ、３ａ間に位置する柱３ｂである。
【００１０】
図５に示すように、垂木７、７間の対向する側面には取付金具３７、３７が固定してあり、図２に示すように、中桟９の左右両端の上部には切除部３９が形成してあり、図１に示すように、中桟９の中空を上下に仕切る中壁９ａに取付金具３７の突出部３７ａを重ねて上から止めるねじ４１で固定してある。
図１及び図５に示すように、垂木７の上にはパネル押さえ１１が設けてあり、垂木７、７間に配置したパネル１３をパネル押さえ１１で押えてあり、パネル押え１１は垂木７のパネル押え取付部１４にねじ固定している。
【００１１】
柱３ａ、３ｂの各々には、前面を覆う柱カバー１７が取付けてあり、柱カバー１７の上端１７ａは桁５の前面に配置してある。
左右両側端に配置してある柱３ａは、図６及び図７に示すように、内部に縦樋１９を収納する中空２１が形成してあり、前面に前側に突設する係止突起２３を有する係止部材２６がねじ固定されている。係止突起２３は係止部材２６の上下に亘って長く形成されている。
柱カバー１７には、係止突起２３に係止する被係止部２４が形成してあり、柱３ａの係止突起２３に係止してある。
左右端の柱３ａの間に位置する柱３ｂにも、図４に示すように、前面に係止突起２３が形成されているが、柱３ｂには縦樋１９が収納されていない点が柱３ａと異なっている。
各柱カバー１７は、柱３ａ、３ｂの係止突起２３に各々係止してあるが、桁５の前面には係止部がなく、桁５には係止されていない。
【００１２】
図１に示すように、桁５は上向きに開口した雨樋（横樋）２５と、雨樋２５の後側にパネル受け２７が設けてあり、パネル受け２７の前側に前側パネル押え３１がねじで固定してあり、パネル受け２７で受けたパネルの前端を前側パネル押さえ３１で押えている。
垂木７に設けたパネル押え１１は、前側端部１１ａを桁５の雨樋２５側に突出してあり、垂木７のパネル押え取付部１４はその前端部１４ａを桁５の後面５ａよりも前側に突出して配置されている。パネル押え１１の前端部１１ａにはねじ挿通孔が形成されている。
【００１３】
キャップ８は、柱３ａ、３ｂの位置に対応して設けてあり、柱３ａ、３ｂと垂木７の間で、桁５に被せてある。キャップ８の後端部８ｂは、パネル押え取付部１４の前端部１４ａ及びパネル押え１１の前側端部１１ａを覆っており、ねじ３３をキャップ８の後端部とパネル押え１１の前端部１１ａのねじ挿通孔に挿通して、垂木７のパネル押え取付部１４の前端部１４ａにねじ固定してある。
キャップ８の前側端部８ａには、図１及び図８に示すように、下方に突設する突設部３５が設けてあり、前側端部８ａは、柱カバー１７の上端１７ａの外周面に係合し、突設部３５は柱カバー１７の上端１７ａの内部に挿入している。
【００１４】
次に、本実施の形態にかかる簡易建物１の施工、作用効果について、説明する。
柱３を立設して、柱３に桁５を架設し、躯体側に設けた垂木掛け３４と桁５と間に垂木７を取付ける。隣合う垂木７、７間に横桟９を取付け、垂木７のパネル受け２７と、パネル押え１１とでパネル１３を固定する。
一方、柱３ａ、３ｂの前面に設けた係止突起２３に柱カバー１７の被係止部２４を係止して柱３ａ、３ｂの前面に柱カバー１７を取付ける。
柱カバー１７の上端１７ａは、桁５の前面で上端に配置する。柱カバー１７は柱３ａ、３ｂの前面にのみ係止してあるが、桁５には係止されていない。
垂木７のパネル押え取付部１４及びパネル押え１１を桁５の後面よりも前側に突設して配置し、パネル１３の前側端１３ａを桁５のパネル受け２７とパネル押え１１の前側端部１１ａで挟むとともに、キャップ８の前側端部８ａを柱カバー１７の上端に被せて係合する。
キャップ８の後端部は、ねじ３３を上から挿入してパネル押え１１に形成したねじ挿通孔に挿通して垂木７のパネル押さえ取付部１４に固定する。キャップ８の前側端部８ａは柱カバー１７の上端１７ａの外周面を覆い、突設部３５を柱カバー１７の内部に挿入する。
【００１５】
本実施の形態によれば、図１に示すように、簡易建物１は、パネル押え１１と、キャップ８と、柱カバー１７とで連続した輪郭を形成しているので、外観が良い。
柱３ａ、３ｂの前面に柱カバー１７を取付け、キャップ８の後側端部８ｂをパネル押え１１のねじ挿通孔に挿通したねじ３３で垂木７のパネル押え取付部１４にねじ固定することでキャップ８を垂木７に容易に固定でき、しかもキャップ８の前側端部８ａを柱カバー１７の上端１７ａに被せて係合するので、柱カバー１７を桁５に取付けなくても柱カバー１７の上端１７ａを固定できるから、施工が容易にできる。
キャップ８の前側端部８ａに設けた突設部３５は柱カバー１７の上端１７ａの内部に挿入するので、柱カバー１７の上端１７ａの潰れや変形を防止できる。
柱３ａ、３ｂの前面に取付けた柱カバー１７の上端１７ａをキャップ８の前側端部８ａに係合しているので、柱カバー１７の反りや反りによる外れを防止できる。
垂木７の前側端は桁５の後面５ａに当接してあり、パネル押え取付部１４の前端部１４ａのみを桁５の後面５ａよりも前側に配置してキャップ８をねじ３３で固定しているので、柱カバー１７の上端１７ａは桁５の前面のみを覆うだけでキャップ８と連続した輪郭を形成できるから、柱３ａ、３ｂから上方に突設する柱カバー１７の寸法を小さくできる。したがって、柱カバー１７は柱３ａ、３ｂに取付けていない部分の寸法が小さいからキャップ８との係合のみでも安定に取付けできる。
キャップ８を止めているねじ３３を外すだけでキャップ８を容易に外すことができ、キャップ８が簡単に外せるから、桁５の雨樋２５の清掃が容易にできる。
また、ねじ３３を外してキャップ８を外すことにより、柱カバー１７は容易に外すことができるので、柱３ａに収納された縦樋１９の清掃も容易にできる。
端部柱３ａに係止部材２６を止めているねじは、柱カバー１７で隠すのでそのねじが外部から見えないから、外観が良い。
中間柱３ｂには、係止突起２３が設けてあり、同じ形状の係止突起２３を設けた係止部材２６を端部柱３ａに取付けているので、中間柱３ｂと端部柱３ａとで同種の柱カバー１７を共用できるから、部品種類を少なくできる。
【００１６】
本発明は、上述した実施の形態に限らず、本発明の要旨を逸脱しない範囲で種々変形可能である。
例えば、本発明の簡易建物１はテラスに限らず、カーポート等でも良い。
【符号の説明】
【００１７】
１    簡易建物
３ａ、３ｂ  柱
５    桁
７    垂木
１４  パネル押え取付部
８    キャップ
１１  パネル押え
１７  柱カバー
２７  パネル受け
３３  ねじ
３５  突設部
【図１】
0005759855.tif 000002
【図２】
0005759855.tif 000003
【図３】
0005759855.tif 000004
【図４】
0005759855.tif 000005
【図５】
0005759855.tif 000006
【図６】
0005759855.tif 000007
【図７】
0005759855.tif 000008
【図８】
0005759855.tif 000009
【図９】
0005759855.tif 000010
【図１０】
0005759855.tif 000011